(57)【要約】      （修正有）【課題】社章などのバッチを上着に付けたままの状態で、バッチの表示部を簡単に覆うことができるバッチカバーを提供する。【解決手段】バッチ１０の表示部２０を覆うためのバッチカバー。このバッチカバーは、バッチ１０の表示部２０を覆うカバー本体部４と、バッチ１０に取り付けるための取付部とを備え、この取付部には、バッチ１０の軸部２２（又はピン部）に係止させるための係止部が設けられている。この係止部は係止切欠きから構成され、係止切欠きがバッチの軸部２２（又はピン部）に着脱自在に係止される。【選択図】図４
0003158686.tif 000002
【実用新案登録請求の範囲】
【請求項１】
バッチの表示部を覆うためのバッチカバーであって、前記表示部を覆うカバー本体部と、前記バッチに取り付けるための取付部とを備え、前記取付部には、前記バッチのピン部又は軸部に係止させるための係止部が設けられていることを特徴とするバッチカバー。
【請求項２】
前記係止部は係止切欠きから構成され、前記係止切欠きが前記バッチの前記ピン部又は前記軸部に着脱自在に係止されることを特徴とする請求項１に記載のバッチカバー。
【請求項３】
前記取付部は略コ字状に形成され、前記カバー本体部の裏面に固定された固定部と、前記係止切欠きが設けられた装着部と、前記固定部と前記装着部とを接続する接続部とを備えていることを特徴とする請求項２に記載のバッチカバー。
【請求項４】
前記係止切欠きは、前記装着部の下端から上方に延びており、前記係止切欠きの幅は、前記下端に向けて拡がっていることを特徴とする請求項２又は３に記載のバッチカバー。
【請求項５】
前記カバー本体部の表面には前記表示部と異なる図柄が施されていることを特徴とする請求項１〜４のいずれかに記載のバッチカバー。
【考案の詳細な説明】
【技術分野】
【０００１】
本考案は、バッチの表示部を覆うために用いるバッチカバーに関する。
【背景技術】
【０００２】
一般に、会社員はスーツの上着に社章を付けてビジネスを行うこと多く、この社章でもって特定の会社に勤務していることを示している。このような社章としては、ピン型のもの、ねじ型のものなどが知られている。
【０００３】
このような社章は、ビジネスから離れた場においては使用することが少なく、社章を付けていてもその表示部（社章部分）が内側となるように付け、表示部が見えないようにしている人も少なくない。
【０００４】
このようなことから、社章を使用しないときには取り外して携帯できるようにするバッチホルダが提案されている（例えば、特許文献１参照）。このバッチホルダは、装着部を有する吊具本体と、この吊具本体に着脱自在に取り付けられる保護カバーとから構成され、社章などのバッチは吊具本体の装着部に取り付けられ、取り付けたバッチを覆うように保護カバーが装着される。
【先行技術文献】
【特許文献】
【０００５】
【特許文献１】特開２００２−１７７０１６号公報
【考案の概要】
【考案が解決しようとする課題】
【０００６】
しかしながら、このバッチホルダを使用するためには、社章などのバッチを上着から取り外さなければならず、その動作が煩雑であるとともに、このように上着から取り外したときには、バッチを紛失するおそれがあるために、その携帯管理に注意を払わなければならない。
【０００７】
本考案の目的は、社章などのバッチを上着に付けたままの状態で、バッチの表示部を簡単に覆うことができるバッチカバーを提供することである。
【課題を解決するための手段】
【０００８】
本考案の請求項１に記載のバッチカバーは、バッチの表示部を覆うためのバッチカバーであって、前記表示部を覆うカバー本体部と、前記バッチに取り付けるための取付部とを備え、前記取付部には、前記バッチのピン部又は軸部に係止させるための係止部が設けられていることを特徴とする。
【０００９】
また、本考案の請求項２に記載のバッチカバーでは、前記係止部は係止切欠きから構成され、前記係止切欠きが前記バッチの前記ピン部又は前記軸部に着脱自在に係止されることを特徴とする。
【００１０】
また、本考案の請求項３に記載のバッチカバーでは、前記取付部は略コ字状に形成され、前記カバー本体部の裏面に固定された固定部と、前記係止切欠きが設けられた装着部と、前記固定部と前記装着部とを接続する接続部とを備えていることを特徴とする。
【００１１】
また、本考案の請求項４に記載のバッチカバーでは、前記係止切欠きは、前記装着部の下端から上方に延びており、前記係止切欠きの幅は、前記下端に向けて拡がっていることを特徴とする。
【００１２】
更に、本考案の請求項５に記載のバッチカバーでは、前記カバー本体部の表面には前記表示部と異なる図柄が施されていることを特徴とする。
【考案の効果】
【００１３】
本考案の請求項１に記載のバッチカバーによれば、バッチカバーの取付部に係止部が設けられているので、この係止部をバッチのピン部（又は軸部）に係止させることによって、取付状態のバッチにバッチカバーを取り付けることができ、係止させるという簡単な動作でもって容易に取り付けることができる。また、この取付状態においては、バッチカバーのカバー本体部がバッチの表示部を覆うので、この表示部が露出することがなく、付けているバッチを実質上隠すことができる。
【００１４】
また、本考案の請求項２に記載のバッチカバーによれば、係止部が係止切欠きから構成されているので、この係止切欠きをバッチのピン部（又は軸部）に係止させることによって、取付状態のバッチにバッチカバーを容易に取り付けることができる。
【００１５】
また、本考案の請求項３に記載のバッチカバーによれば、取付部の固定部がカバー本体部の裏面に固定され、その装着部に係止切欠きが設けられるので、簡単な構成でもって取付部を構成することができる。
【００１６】
また、本考案の請求項４に記載のバッチカバーによれば、係止切欠きが装着部の下端から上方に延びているので、この係止切欠きを上方からバッチのピン部（又は軸部）に係止させることによって、容易に取り付けることができる。また、係止切欠きの幅が下端に向けて拡がっているので、バッチのピン部（又は軸部）への係止を容易に且つ確実に行うことができる。
【００１７】
更に、本考案の請求項５に記載のバッチカバーによれば、カバー本体部の表面にバッチの表示部と異なる図柄が施されているので、このバッチカバーを付けることによって、この図柄が示すバッチ、例えば特定団体を示すバッチとして用いることもできる。
【図面の簡単な説明】
【００１８】
【図１】本考案に従うバッチカバーの一実施形態を示す正面図。
【図２】図１のバッチカバーを示す背面図。
【図３】図１のバッチカバーを示す側面図。
【図４】図１のバッチカバーの使用状態を示す側面図。
【考案を実施するための形態】
【００１９】
以下、添付図面を参照して、本考案に従うバッチカバーの一実施形態について説明する。
【００２０】
図１〜図３において、図示のバッチカバー２は、カバー本体部４及び取付部６を備えている。図示のカバー本体部４はプレート状部材から構成され、円形状に形成されている。このカバー本体部４は、金属製（例えば、鉄、銅、アルミニウムなど）のものでもよく、合成樹脂製のものでもよく、またその形状についても、四角形状、六角形状、楕円形状などの適宜の形状に形成することができる。
【００２１】
このカバー本体部４の表面には、図１に示すように適宜の図柄７を施すことができる。このように図柄７を施すことによって、後に説明するように、使用状態においては、この図柄７が表に現れるようになる。この図柄７として、例えば特定団体を表示するものを用いたときには、この特定団体のバッチとして用いることができ、また例えば名前を表示するものを用いたときには、使用者の名札として用いることができる。尚、このカバー本体部４の表面に図柄を施さず、無地の状態とすることもできる。
【００２２】
図示の取付部６は、略コ字状に形成され、カバー本体部４に取り付けられた固定部８と、後述するようにバッチ１０（図４参照）に取り付けられる装着部１２と、固定部８と装着部１２とを接続する接続部１４とを有している。この取付部６は、金属製のものでもよいが、合成樹脂製のものでもよい。カバー本体部４及び取付部６が金属製であるときには、この固定部８が例えば溶接、接着などによってカバー本体部４の裏面に固定されるが、カバー本体部４及び／又は取付部６が合成樹脂製であるときには、例えば接着などによってカバー本体部４の裏面に固定される。
【００２３】
この形態では、装着部１２には係止部１６が設けられ、この係止部１６が係止切欠き１８から構成されている。係止切欠き１８は装着部１２の下端に開口し、この下端開口から上方に接続部１４に向けて延びている。この係止切欠き１８は、バッチ１０への装着を容易にするために、その幅が下端開口に向けて拡がっているのが好ましく、この実施形態では、係止切欠き１８の上端底部から下端開口までテーパ状に拡がっているが、下端開口近傍の一部のみテーパ状に拡がるように構成してもよい。尚、この係止切欠き１８の形状については、図示の形状に限定されず、例えば係止切欠き１８の下端開口に向けて弧状に拡がるように構成してもよい。
【００２４】
このバッチカバー２は、図４に示すようにしてバッチ１０に着脱自在に装着される。図示のバッチ１０は、固定様式がねじタイプのものであり、図柄（例えば、会社のマーク、団体のマークなど）が施された表示部２０を備え、この表示部２０の裏面中央部には軸部２２が固定され、この軸部２２が背面側に延び、この軸部２２の例えば全長にわたって雄ねじ部（図示せず）が設けられる。この形態のバッチ１０では、バッチ１０を装着するために取付部材２４が用いられ、この取付部材２４には、軸部２２の雄ねじ部に対応して雌ねじ部（図示せず）が設けられている。
【００２５】
ねじタイプのバッチ１０を取り付けるには、バッチ１０の軸部２２をスーツの上着の襟２６などに設けられているバッチ取付用スリット２８を通して挿入し、このスリット２８から突出する先端側の雄ねじ部に取付部材２４の雌ねじ部を螺着し、この取付部材２４を締め付け、バッチ１０の表示部２０及び取付部材２４によって襟２６を挟持するようにすればよい。
【００２６】
バッチカバー２は、上述したようにして取り付けた取付状態のバッチ１０を覆うように着脱自在に装着される。この装着のときには、図４に示すように、バッチカバー２の装着部１２を上着の襟２６とバッチ１０の表示部２０との間に位置付け、バッチ１０の軸部２２が装着部１２の係止切欠き１８内に受け入れられるように上方から挿入すればよく、かく挿入すると、バッチ１０の軸部２２が係止切欠き１８の底部に位置するようになる。
【００２７】
この装着状態においては、図４に示すように、バッチカバー２の装着部１２の係止切欠き１８がバッチ１０の軸部２２に係止され、そのカバー本体部４がバッチ１０の表示部４の前面側に位置してこの表示部４を覆い、バッチ１０の表示部２０に代えて、バッチカバー２のカバー本体部４が前面側に出て、カバー本体部４の図柄７が示されるようになる。従って、バッチ１０の表示部４の図柄に代えて、バッチカバー２の図柄７が表面側になり、図柄７を有する模擬バッチとして用いることが可能となる。
【００２８】
以上、本考案に従うバッチカバーの一実施形態について説明したが、本考案はかかる実施形態に限定されず、本考案の範囲を逸脱することなく種々の変更乃至修正が可能である。
【００２９】
例えば、上述した実施形態では、固定様式がねじタイプのものに適用して説明したが、このような様式のものに限定されず、ピンタイプのものにも同様に適用することができ、この場合、バッチカバー２の係止切欠き１８がバッチのピン部に着脱自在に係止される。
【符号の説明】
【００３０】
２  バッチカバー
４  カバー本体部
６  取付部
８  固定部
１０  バッチ
１２  装着部
１６  係止部
１８  係止切欠き
２０  表示部
２２  軸部
【図１】
0003158686.tif 000003
【図２】
0003158686.tif 000004
【図３】
0003158686.tif 000005
【図４】
0003158686.tif 000006
【手続補正書】
【提出日】平成22年2月8日(2010.2.8)
【手続補正１】
【補正対象書類名】実用新案登録請求の範囲
【補正対象項目名】全文
【補正方法】変更
【補正の内容】
【実用新案登録請求の範囲】
【請求項１】
バッチの表示部を覆うためのバッチカバーであって、前記表示部を覆うカバー本体部と、前記バッチに取り付けるための取付部とを備え、前記取付部には、前記バッチのピン部又は軸部に係止させるための係止部が設けられていることを特徴とするバッチカバー。
【請求項２】
前記係止部は係止切欠きから構成され、前記係止切欠きが前記バッチの前記ピン部又は前記軸部に着脱自在に係止されることを特徴とする請求項１に記載のバッチカバー。
【請求項３】
前記取付部は略コ字状に形成され、前記カバー本体部の裏面に固定された固定部と、前記係止切欠きが設けられた装着部と、前記固定部と前記装着部とを接続する接続部とを備えていることを特徴とする請求項２に記載のバッチカバー。
【請求項４】
前記係止切欠きは、前記装着部の下端から上方に延びており、前記係止切欠きの幅は、前記下端に向けて拡がっていることを特徴とする請求項３に記載のバッチカバー。
【請求項５】
前記カバー本体部の表面には前記表示部と異なる図柄が施されていることを特徴とする請求項１〜４のいずれかに記載のバッチカバー。